(57)【要約】【課題】操作盤の誤操作を防止する。【解決手段】操作盤１００は、スイッチ３０が配置されたプレート１０と、プレート１０の前面に配置されたカバー２０とを備える。カバー２０は、カバー２０とプレート１０との間隔を少なくとも第１間隔及び第２間隔にすることができるように支持される。スイッチ３０は、ハンドル部３２を有し、ハンドル部３２の向きによって複数の選択肢の中から１つの選択肢を選択することができるように構成される。カバー２０は、カバー２０とプレート１０との間隔が第１間隔である場合にはスイッチ３０により複数の選択肢のうちの特定の選択肢のみを選択することができるようにハンドル部３２の向きを規制し、当該間隔が第２間隔である場合にはハンドル部３２の向きの規制を解除するように形成された開口部２２を有する。【選択図】図２
2008235100.tif 000002
【特許請求の範囲】
【請求項１】
少なくとも１つのスイッチが配置されたプレートと、
前記プレートの前面に配置されたカバーとを備え、
前記カバーは、前記カバーと前記プレートとの間隔を少なくとも第１間隔及び第２間隔にすることができるように支持され、
前記スイッチは、ハンドル部を有し、前記ハンドル部の向きによって複数の選択肢の中から１つの選択肢を選択することができるように構成され、
前記カバーは、前記カバーと前記プレートとの間隔が前記第１間隔である場合には前記スイッチにより前記複数の選択肢のうちの特定の選択肢のみを選択することができるように前記ハンドル部の向きを規制し、前記カバーと前記プレートとの間隔が前記第２間隔である場合には前記ハンドル部の向きの規制を解除するように形成された開口部を有する、
ことを特徴とする操作盤。
【請求項２】
前記カバーは、前記プレートからその前面側に延びたガイド部材によって前記間隔を調整可能に支持され、前記カバーと前記プレートとの間にバネが配置されている、
ことを特徴とする請求項１に記載の操作盤。
【発明の詳細な説明】
【技術分野】
【０００１】
本発明は、スイッチが配置された操作盤に関する。
【背景技術】
【０００２】
図１は、一般的な操作盤の一例を示す図である。操作盤２００は、少なくとも１つのスイッチ３０が配置されたプレート１０を備えている。スイッチ３０は、ハンドル部３２を有し、ハンドル部３２の向きによって複数の選択肢（ＯＮ、ＯＦＦ）の中から１つの選択肢を選択することができるように構成されている。
【発明の開示】
【発明が解決しようとする課題】
【０００３】
一般的な操作盤２００では、スイッチ３０のハンドル部３２を自由に回動させることができるので、作業者が誤って当ってハンドル部３２が誤った向きを向いてしまうことがある。これにより、操作盤２００によって制御される設備或いは装置は、作業者が意図しない動作をすることになりうる。
【０００４】
本発明は、上記の問題認識を基礎としてなされたものであり、操作盤の誤操作を防止することを目的とする。
【課題を解決するための手段】
【０００５】
本発明に係る操作盤は、少なくとも１つのスイッチが配置されたプレートと、前記プレートの前面に配置されたカバーとを備える。前記カバーは、前記カバーと前記プレートとの間隔を少なくとも第１間隔及び第２間隔にすることができるように支持される。前記スイッチは、ハンドル部を有し、前記ハンドル部の向きによって複数の選択肢の中から１つの選択肢を選択することができるように構成される。前記カバーは、前記カバーと前記プレートとの間隔が前記第１間隔である場合には前記スイッチにより前記複数の選択肢のうちの特定の選択肢のみを選択することができるように前記ハンドル部の向きを規制し、前記カバーと前記プレートとの間隔が前記第２間隔である場合には前記ハンドル部の向きの規制を解除するように形成された開口部を有する。
【発明の効果】
【０００６】
本発明によれば、操作盤の誤操作を防止することができる。
【発明を実施するための最良の形態】
【０００７】
以下、添付図面に基づいて本発明の好適な実施形態を説明する。
【０００８】
図２〜図５は、本発明の好適な実施形態の操作盤１００の構成を示す図である。これらのうち、図２及び図３は、操作盤１００を正面側（前面側）から見た図であり、図４及び図５は、操作盤１００を側方側から見た図である。斜線部は、断面を意味する。
【０００９】
本発明の好適な実施形態の操作盤１００は、少なくとも１つのスイッチ３０が配置されたプレート１０と、プレート１０の前面に配置されたカバー２０とを備える。スイッチ３０は、回動可能なハンドル部３２を有し、ハンドル部３２の向きによって複数の選択肢（例えば、ＯＮ、ＯＦＦ）の中から１つの選択肢を選択することができるように構成されている。この例では、複数の選択肢として、制御対象をＯＮ状態にする第１選択肢と、制御対象をＯＦＦ状態にする第２選択肢とが含まれるが、これに代えて又はこれらに加えて他の選択肢を採用しうることは自明である。制御対象は、特に限定されないが、例えば、飲料製品の充填機、加温機、送液システム、コンベア、包装機、自動倉庫等の設備或いは装置自体又はその部品を例示することができる。
【００１０】
プレート１０には、前述の複数の選択肢をそれぞれ説明する文字、符号、記号、指標（図示の例では、ＯＮ、ＯＦＦの文字）などが配置されうる。カバー２０は、透明な部材で構成されても不透明な部材で構成されてもよいが、プレート１０に作業者に提示すべき情報（例えば、複数の選択肢をそれぞれ説明する文字など）が配置される場合には、カバー２０は、透明な部材で構成されうる。
【００１１】
カバー２０は、カバー２０とプレート１０との間隔を少なくとも第１間隔Ｄ１（図４参照）及び第２間隔Ｄ２（図５参照）にすることができるように支持される。カバー２０には、開口部２２が形成されている。開口部２２は、カバー２０とプレート１０との間隔が第１間隔Ｄ１である通常設定状態においては、スイッチ３０により複数の選択肢（ＯＮ、ＯＦＦ）のうちの特定の選択肢（例えば、ＯＦＦ）のみを選択することができるようにハンドル部３２の向きを規制し、カバー２０とプレート１０との間隔が第２間隔Ｄ２である特別設定状態においては、ハンドル部３２の向きの規制を解除するように形成される。通常設定状態においては、各スイッチ３０のハンドル部３２の向き（設定状態）は、制御対象を通常の設定で動作させるように規制される。特別設定状態では、作業者等は、各スイッチ３０のハンドル部３２の向きを任意の向きに設定することができる。これは、特別設定状態では、制御対象を特別な状態で動作させることができることを意味する。
【００１２】
図２及び図４は、カバー２０とプレート１０との間隔が第１間隔Ｄ１である状態（通常設定状態）を例示している。この状態では、スイッチ３０のハンドル部３２の向きは、開口部２２の形状により、特定の向き（この例では、ＯＦＦ状態となる向き）に規制される。
【００１３】
図３及び図５は、カバー２０とプレート１０との間隔が第２間隔Ｄ２である状態（特別設定状態）を例示している。この状態では、開口部２２によるハンドル部３２の向きの規制が解除されて、ハンドル部３２を自由に回動させること、即ち、スイッチ３０により任意の選択肢を選択することができる。
【００１４】
カバー２０は、例えば、プレート１０からその前面側に延びたガイド部材５０によって、プレート１０との間隔を調整可能に支持されうる。カバー２０とプレート１０との間には、バネ６０が配置されている。ガイド部材５０の先端には、ストッパ４０が設けられている。バネ６０及びストッパ４０により、カバー２０は、通常状態（外力を受けない状態）において、プレート１０との間隔が第１間隔Ｄ１となる状態に維持される。カバー２０が作業者等によりプレート１０側に押し付けられて、カバー２０とプレート１０との間隔が例えば間隔Ｄ２になると、ハンドル部３２の回動（即ち、任意の選択肢の選択、或いは、特別な設定）が可能になる。
【００１５】
以上のように、操作盤１００に上記のようなカバー２０を設けることにより、作業者等が不注意にスイッチ３０を操作してしまうことを防止することができる。また、１又は複数のスイッチ３０の設定状態が通常設定状態と異なる場合には、カバー２０とプレート１０との間隔を第１間隔Ｄ１（通常設定状態）にすることができないので、これにより作業者に注意が喚起される。
【図面の簡単な説明】
【００１６】
【図１】一般的な操作盤の一例を示す図である。
【図２】本発明の好適な実施形態の操作盤の構成（通常設定状態）を示す図である。
【図３】本発明の好適な実施形態の操作盤の構成（特別設定状態）を示す図である。
【図４】本発明の好適な実施形態の操作盤の構成（通常設定状態）を示す図である。
【図５】本発明の好適な実施形態の操作盤の構成（特別設定状態）を示す図である。
【符号の説明】
【００１７】
１０  プレート
２０  カバー
２２  開口部
３０  スイッチ
３２  ハンドル部
４０  ストッパ
５０  ガイド部材
６０  バネ
【図１】
2008235100.tif 000003
【図２】
2008235100.tif 000004
【図３】
2008235100.tif 000005
【図４】
2008235100.tif 000006
【図５】
2008235100.tif 000007